(57)【要約】【課題】従来のデータ蓄積システムの不正コピー防止方法において問題であった、データ蓄積システムの筐体が開封されると不正コピーされてしまう、という問題を解決した、不正コピー防止データ蓄積システムおよび不正コピー防止方法を提供すること。【解決手段】データ書き込み／読み出し用のヘッド１と、ヘッド１を支持・駆動させるヘッド機構部３と、データ記録用の媒体２と、媒体２を駆動させる媒体機構部４と、回路５と、媒体２の近傍に配置された、噴射ヘッド１１を持つ噴射器１０と、噴射器１０を駆動するためのスイッチ８および電源９と、これらをパッケージする筐体上部６および筐体下部７とから構成されることを特徴とする不正コピー防止データ蓄積システムを構成する。【選択図】　　図１
2004047039.tif 000002
【特許請求の範囲】
【請求項１】
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、
前記媒体に記録されたデータの読み出しを不可能とする少なくとも１つの読み出し妨害手段と、これらをパッケージする少なくとも１つの筐体とから構成されることを特徴とする不正コピー防止データ蓄積システム。
【請求項２】
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、
前記媒体の近傍に配置された少なくとも１つの噴射ヘッドを持つ少なくとも１つの噴射器と、これらをパッケージする少なくとも１つの筐体とから構成されることを特徴とする不正コピー防止データ蓄積システム。
【請求項３】
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、
前記媒体近傍に配置され先端が鋭利な少なくとも１つの鋭利部を持つ少なくとも１つの傷与器と、これらをパッケージする少なくとも１つの筐体とから構成されることを特徴とする不正コピー防止データ蓄積システム。
【請求項４】
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、
内容物を内包する少なくとも１つの容器と、これらをパッケージする少なくとも１つの筐体とから構成されることを特徴とする不正コピー防止データ蓄積システム。
【請求項５】
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、
これらをパッケージし、筐体壁外部、筐体壁中部、筐体壁内部の少なくとも３層の多層構造となっており、前記筐体壁中部に内容物を内包する少なくとも１つの筐体とから構成されることを特徴とする不正コピー防止データ蓄積システム。
【請求項６】
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、
前記媒体の近傍に配置された少なくとも１つの磁界発生器と、これらをパッケージする少なくとも１つの筐体とから構成されることを特徴とする不正コピー防止データ蓄積システム。
【請求項７】
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、
前記ヘッドに対して過電流を通電あるいは高電圧を印加する少なくとも１つの過電流あるいは高電圧発生回路と、これらをパッケージする少なくとも１つの筐体とから構成されることを特徴とする不正コピー防止データ蓄積システム。
【請求項８】
請求項１記載の不正コピー防止データ蓄積システムを用い、前記筐体が開封されると、前記読み出し妨害手段が動作することによって、前記媒体に記録されたデータの読み出しを不可能とすることを特徴とする不正コピー防止方法。
【請求項９】
請求項２記載の不正コピー防止データ蓄積システムを用い、前記筐体が開封されると、前記噴射ヘッドから内容物が前記媒体上に噴射されることによって、前記媒体に記録されたデータの読み出しを不可能とすることを特徴とする不正コピー防止方法。
【請求項１０】
請求項３記載の不正コピー防止データ蓄積システムを用い、前記筐体が開封されると、前記鋭利部が前記媒体を破損することによって、前記媒体に記録されたデータの読み出しを不可能とすることを特徴とする不正コピー防止方法。
【請求項１１】
請求項４記載の不正コピー防止データ蓄積システムを用い、前記筐体が開封されると、前記容器に内包された前記内容物が前記媒体上を含む前記筐体内に撒散り、これによって前記媒体に記録されたデータの読み出しを不可能とすることを特徴とする不正コピー防止方法。
【請求項１２】
請求項５記載の不正コピー防止データ蓄積システムを用い、前記筐体が開封されると、前記筐体壁中部に内包された前記内容物が前記媒体上を含む前記筐体内に撒散り、これによって前記媒体に記録されたデータの読み出しを不可能とすることを特徴とする不正コピー防止方法。
【請求項１３】
請求項６記載の不正コピー防止データ蓄積システムを用い、前記筐体が開封されると、前記磁界発生器からの磁界により前記媒体に記録されたデータが消去され、データの読み出しを不可能とすることを特徴とする不正コピー防止方法。
【請求項１４】
請求項７記載の不正コピー防止データ蓄積システムを用い、前記筐体が開封されると、前記ヘッドに過電流が通電され前記ヘッドのコイル部あるいはセンサ素子部が断線する、あるいは前記ヘッドに高電圧が印加され絶縁破壊が生じることによって、前記媒体に記録されたデータの読み出しを不可能とすることを特徴とする不正コピー防止方法。
【発明の詳細な説明】
【０００１】
【発明の属する技術分野】
本発明は、不正コピー防止データ蓄積システムおよび不正コピー防止方法に関する。
【０００２】
【従来の技術】
従来の磁気ディスク装置などを使った磁気記録部およびこれに関連する機構部、回路部などを含むデータ蓄積システムの不正コピー防止方法としては、共通鍵（キー）暗号方式が挙げられる。この方法ではデータを暗号化（エンコード）する際と復号化（デコード）する際に、同一の秘密キーを使用する。第三者がデータを不正コピーしても、データは暗号化されているため、秘密キーがない限り意味のあるデータとして扱えなくする方法である。秘密キーの発行方法としては、ＩＣカードなどを用いてデータ蓄積システムとは別に発行する方法、あるいは予めデータ蓄積システムの例えば磁気ディスクにデータとして埋め込んでおく方法がある。
【０００３】
しかし、従来の方法では、データ蓄積システム内で秘密キー、データのやり取りが電気的に行われるため、この信号を盗聴することにより、秘密キー、データが盗まれてしまい、不正コピーされてしまうという欠点があった。
【０００４】
この問題を解決する方法として、データ蓄積システムの個々、全体を筐体でパッケージングし、この筐体内で閉じて秘密キー、データのやり取りを行う方法がある。
【０００５】
【発明が解決しようとする課題】
しかし、この筐体を用いる方法においても、筐体を開封することにより、容易に秘密キー、データのやり取りを電気的に盗聴することが可能であり秘密キー、データが盗まれてしまい、不正コピーされてしまうという欠点があった。
【０００６】
本発明は上記の欠点を改善するために提案されたもので、その目的は従来のデータ蓄積システムの不正コピー防止方法において問題であった、
データ蓄積システムの筐体が開封されると不正コピーされてしまう、
という問題を解決した、
不正コピー防止データ蓄積システムおよび不正コピー防止方法を提供することにある。
【０００７】
【課題を解決するための手段】
上記課題を解決するために、本発明においては、データ蓄積システムの筐体が開封されると不正コピー防止機能が働き、データ蓄積システムからのデータの読み出しを不可能とする、不正コピー防止データ蓄積システムおよび不正コピー防止方法を構成する。すなわち、
本発明においては、請求項１に記載のように、
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、前記媒体に記録されたデータの読み出しを不可能とする少なくとも１つの読み出し妨害手段と、これらをパッケージする少なくとも１つの筐体とから構成されることを特徴とする不正コピー防止データ蓄積システムを構成する。
【０００８】
また、本発明においては、請求項２に記載のように、
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、前記媒体の近傍に配置された少なくとも１つの噴射ヘッドを持つ少なくとも１つの噴射器と、これらをパッケージする少なくとも１つの筐体とから構成されることを特徴とする不正コピー防止データ蓄積システムを構成する。
【０００９】
また、本発明においては、請求項３に記載のように、
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、前記媒体近傍に配置され先端が鋭利な少なくとも１つの鋭利部を持つ少なくとも１つの傷与器と、これらをパッケージする少なくとも１つの筐体とから構成されることを特徴とする不正コピー防止データ蓄積システムを構成する。
【００１０】
また、本発明においては、請求項４に記載のように、
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、内容物を内包する少なくとも１つの容器と、これらをパッケージする少なくとも１つの筐体とから構成されることを特徴とする不正コピー防止データ蓄積システムを構成する。
【００１１】
また、本発明においては、請求項５に記載のように、
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、これらをパッケージし、筐体壁外部、筐体壁中部、筐体壁内部の少なくとも３層の多層構造となっており、前記筐体壁中部に内容物を内包する少なくとも１つの筐体とから構成されることを特徴とする不正コピー防止データ蓄積システムを構成する。
【００１２】
また、本発明においては、請求項６に記載のように、
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、前記媒体の近傍に配置された少なくとも１つの磁界発生器と、これらをパッケージする少なくとも１つの筐体とから構成されることを特徴とする不正コピー防止データ蓄積システムを構成する。
【００１３】
また、本発明においては、請求項７に記載のように、
少なくとも１つのヘッドと、前記ヘッドを支持・駆動させる少なくとも１つのヘッド機構部と、少なくとも１つの媒体と、前記媒体を駆動させる少なくとも１つの媒体機構部と、少なくとも１つの回路と、前記ヘッドに対して過電流を通電あるいは高電圧を印加する少なくとも１つの過電流あるいは高電圧発生回路と、これらをパッケージする少なくとも１つの筐体とから構成されることを特徴とする不正コピー防止データ蓄積システムを構成する。
【００１４】
また、本発明においては、請求項８に記載のように、
請求項１記載の不正コピー防止データ蓄積システムを用い、前記筐体が開封されると、前記読み出し妨害手段が動作することによって、前記媒体に記録されたデータの読み出しを不可能とすることを特徴とする不正コピー防止方法を構成する。
【００１５】
また、本発明においては、請求項９に記載のように、
請求項２記載の不正コピー防止データ蓄積システムを用い、前記筐体が開封されると、前記噴射ヘッドから内容物が前記媒体上に噴射されることによって、前記媒体に記録されたデータの読み出しを不可能とすることを特徴とする不正コピー防止方法を構成する。
【００１６】
また、本発明においては、請求項１０に記載のように、
請求項３記載の不正コピー防止データ蓄積システムを用い、前記筐体が開封されると、前記鋭利部が前記媒体を破損することによって、前記媒体に記録されたデータの読み出しを不可能とすることを特徴とする不正コピー防止方法を構成する。
【００１７】
また、本発明においては、請求項１１に記載のように、
請求項４記載の不正コピー防止データ蓄積システムを用い、前記筐体が開封されると、前記容器に内包された前記内容物が前記媒体上を含む前記筐体内に撒散り、これによって前記媒体に記録されたデータの読み出しを不可能とすることを特徴とする不正コピー防止方法を構成する。
【００１８】
また、本発明においては、請求項１２に記載のように、
請求項５記載の不正コピー防止データ蓄積システムを用い、前記筐体が開封されると、前記筐体壁中部に内包された前記内容物が前記媒体上を含む前記筐体内に撒散り、これによって前記媒体に記録されたデータの読み出しを不可能とすることを特徴とする不正コピー防止方法を構成する。
【００１９】
また、本発明においては、請求項１３に記載のように、
請求項６記載の不正コピー防止データ蓄積システムを用い、前記筐体が開封されると、前記磁界発生器からの磁界により前記媒体に記録されたデータが消去され、データの読み出しを不可能とすることを特徴とする不正コピー防止方法を構成する。
【００２０】
また、本発明においては、請求項１４に記載のように、
請求項７記載の不正コピー防止データ蓄積システムを用い、前記筐体が開封されると、前記ヘッドに過電流が通電され前記ヘッドのコイル部あるいはセンサ素子部が断線する、あるいは前記ヘッドに高電圧が印加され絶縁破壊が生じることによって、前記媒体に記録されたデータの読み出しを不可能とすることを特徴とする不正コピー防止方法を構成する。
【００２１】
【発明の実施の形態】
本発明と従来技術とは構造、構成および方法が異なる。以下、本発明の実施の形態について、具体的実施例を挙げて説明する。なお、以下の実施例では、データ蓄積システムとして磁気ディスク装置など磁気記録装置を利用したものを例として説明するが、本発明はこれに限定するものではなく、例えば光磁気ディスク装置など光磁気記録装置、光ディスク装置など光記録装置などを利用したデータ蓄積システムに対しても同様に効果を奏するものである。
【００２２】
【実施例】
図１〜図６は、それぞれ、第１〜第６の実施例を示す図である。
【００２３】
〈媒体に細工／電源有り〉
まず、媒体２に細工を施し、何らかの電源９を使用する場合について説明する。
【００２４】
電源９については、〈電源〉の項で説明する（以下同様）。
【００２５】
［実施例１］
図１は本発明の第１の実施例を示す図である。
この実施例ではデータ蓄積システムは、少なくとも１つのヘッド１と前記ヘッド１を支持し媒体２上で前記ヘッド１を駆動させる少なくとも１つのヘッド機構部３と、少なくとも１つの媒体２と、前記媒体２を回転駆動させる少なくとも１つの媒体機構部４と、少なくとも１つの回路５と、
少なくとも１つのスイッチ８と、前記スイッチ８に電気的につながった少なくとも１つの電源９と、前記スイッチ８および前記電源９に電気的につながり、前記媒体２の近傍に配置された少なくとも１つの噴射ヘッド１１を持つ少なくとも１つの噴射器１０と、これらをパッケージする少なくとも１つの筐体とから構成される。この例では筐体は筐体上部６と、筐体下部７の２体から構成される。
筐体は必ずしも上部と下部というように２体に分れている必要はなく、１体でも３体以上でも構わない（以下同様）。
【００２６】
以下、動作を説明する。データ蓄積システムの筐体が開封される（フタを開けられる／穴を開けられる／切断されるなど）とこれによりスイッチ８がＯＮし、電源９から噴射器１０に電力が供給され、噴射ヘッド１１から例えば液体、粉体、ガスなどの内容物１８（図示せず）が媒体２上を含む筐体内に噴射される。内容物１８によって、媒体２上は覆われる／キズ付くなどして、媒体２に記録されたデータの読み出しが不可能となる。噴射する液体、粉体、ガスなどの内容物１８については〈内容物〉の項で説明する（以下同様）。スイッチの方法については〈スイッチ〉の項で説明する（以下同様）。
噴射器１０としては、例えばインクジェットプリンタ用のヘッドなどが使用できる。
噴射器１０は請求項１記載の読み出し妨害手段に該当する。
【００２７】
〈媒体に細工／電源無し〉
次に媒体２に細工を施し、電源９を使用しない場合について説明する。
【００２８】
［実施例２］
図２は本発明の第２の実施例を示す図である。
この実施例ではデータ蓄積システムは、少なくとも１つのヘッド１と前記ヘッド１を支持し媒体２上で前記ヘッド１を駆動させる少なくとも１つのヘッド機構部３と、少なくとも１つの媒体２と、前記媒体２を回転駆動させる少なくとも１つの媒体機構部４と、少なくとも１つの回路５と、
媒体２近傍に配置され先端が鋭利な少なくとも１つの鋭利部１３を持つ少なくとも１つの傷与器１２と、前記傷与器１２と筐体とをつなぐ接続部１４と、これらをパッケージする少なくとも１つの筐体とから構成される。この例では筐体は筐体上部６と、筐体下部７の２体から構成される。
【００２９】
以下、動作を説明する。図２の例では例えば傷与器１２は支点１５を持ち、筐体の開封（フタを開けられる／穴を開けられる／切断されるなど）に連動して接続部１４を通じ傷与器１２の左側は持ち上げられ、一方傷与器１２の右側は押し下げられ、鋭利部１３が媒体２表面に押し付けられ、媒体２表面をキズつける、あるいは媒体を破損させる。これによって媒体２に記録されたデータの読み出しが不可能となる。
傷与器１２は請求項１記載の読み出し妨害手段に該当する。
【００３０】
［実施例３］
図３は本発明の第３の実施例を示す図である。
この実施例ではデータ蓄積システムは、少なくとも１つのヘッド１と前記ヘッド１を支持し媒体２上で前記ヘッド１を駆動させる少なくとも１つのヘッド機構部３と、少なくとも１つの媒体２と、前記媒体２を回転駆動させる少なくとも１つの媒体機構部４と、少なくとも１つの回路５と、
内容物１８を内包し、筐体に接続して配置された少なくとも１つの容器１６と、これらをパッケージする少なくとも１つの筐体とから構成される。この例では筐体は筐体上部６と、筐体下部７の２体から構成される。
【００３１】
以下、動作を説明する。図３の例では、筐体上部６と筐体下部７に接着した２つの容器１６が栓１７で支えられている。筐体が開封される（フタを開けられる／穴を開けられる／切断されるなど）と、これに連動して容器が壊れる／破れる／栓が抜け穴が開くなどして、容器１６に内包された内容物１８が媒体２上を含む筐体内に撒散る。これによって、媒体２上が内容物１８で覆われる／キズ付くなどして、媒体２に記録されたデータの読み出しが不可能となる。
容器１６は請求項１記載の読み出し妨害手段に該当する。
【００３２】
［実施例４］
図４は本発明の第４の実施例における筐体部分を示す図である。
この実施例ではデータ蓄積システムは、少なくとも１つのヘッド１（図示せず）と前記ヘッド１を支持し媒体２（図示せず）上で前記ヘッド１を駆動させる少なくとも１つのヘッド機構部３（図示せず）と、少なくとも１つの媒体２と、前記媒体２を回転駆動させる少なくとも１つの媒体機構部４（図示せず）と、少なくとも１つの回路５（図示せず）と、これらをパッケージする少なくとも１つの筐体とから構成される。この例では筐体は筐体上部６と、筐体下部７（図示せず）の２体から構成される。
筐体の壁は例えば筐体壁外部６１、筐体壁中部６２、筐体壁内部６３の少なくとも３層の多層構造となっており、筐体壁中部６２に液体、粉体、ガスなどの内容物１８を内包する構成となっている。
【００３３】
以下、動作を説明する。筐体を開封される（フタを開けられる／穴１９を開けられる／切断されるなど）と、内包された内容物１８が媒体２上を含む筐体内に撒散る。これによって、媒体２上が内容物１８で覆われる／キズ付くなどして、媒体２に記録されたデータの読み出しが不可能となる。図４では筐体上部６について示したが、筐体下部７など他の筐体の部位についても同様である。
筐体壁中部６２は請求項１記載の読み出し妨害手段に該当する。
【００３４】
また、上記実施例１〜４において、媒体２に限らず、ヘッド１、ヘッド機構部３、媒体機構部４、回路５などのデータ蓄積システムの構成要素を覆う、キズを付けるなどによっても、データ蓄積システムの正常な動作が阻害されるため、データの読み出しが不可能になる。
【００３５】
〈媒体上のデータを破壊〉
次に媒体２に記録されたデータを破壊する方法について説明する。
【００３６】
［実施例５］
図５は本発明の第５の実施例を示す図である。
この実施例ではデータ蓄積システムは、少なくとも１つのヘッド１と前記ヘッド１を支持し媒体２上で前記ヘッド１を駆動させる少なくとも１つのヘッド機構部３と、少なくとも１つの媒体２と、前記媒体２を回転駆動させる少なくとも１つの媒体機構部４と、少なくとも１つの回路５と、
少なくとも１つのスイッチ８と、前記スイッチ８に電気的につながった少なくとも１つの電源９と、前記スイッチ８および前記電源９に電気的につながり、前記媒体２の近傍に配置された少なくとも１つの磁界発生器２０と、これらをパッケージする少なくとも１つの筐体とから構成される。この例では筐体は筐体上部６と、筐体下部７の２体から構成される。
【００３７】
以下、動作を説明する。データ蓄積システムの筐体が開封される（フタを開けられる／穴を開けられる／切断されるなど）とこれによりスイッチ８がＯＮし、電源９から磁界発生器２０に電力が供給され、媒体２に記録されたデータが消去されるに足りる十分大きな磁界が発生し、媒体２に記録されたデータを消去する。これによって、媒体２に記録されたデータの読み出しが不可能となる。
磁界発生器２０としては、コイル、電磁石を使用するもの、データ蓄積システムで使用するヘッド１を使用するものが挙げられいずれも同様の効果を奏する。また永久磁石を用いることもでき、この場合はスイッチＯＮにより永久磁石が媒体２に近付くことによって、媒体２上のデータを消去することができる。
磁界発生器２０は請求項１記載の読み出し妨害手段に該当する。
【００３８】
〈ヘッドを破壊〉
次にヘッド１を破壊する方法について説明する。
【００３９】
［実施例６］
図６は本発明の第６の実施例を示す図である。
この実施例ではデータ蓄積システムは、少なくとも１つのヘッド１と前記ヘッド１を支持し媒体２上で前記ヘッド１を駆動させる少なくとも１つのヘッド機構部３と、少なくとも１つの媒体２と、前記媒体２を回転駆動させる少なくとも１つの媒体機構部４と、少なくとも１つの回路５と、
少なくとも１つのスイッチ８と、前記スイッチ８および前記ヘッド１と電気的につながった少なくとも１つの電源９と、これらをパッケージする少なくとも１つの筐体とから構成される。この例では筐体は筐体上部６と、筐体下部７の２体から構成される。
【００４０】
以下、動作を説明する。データ蓄積システムの筐体が開封される（フタを開けられる／穴を開けられる／切断されるなど）とこれによりスイッチ８がＯＮし、電源９からヘッド１に過電流が通電され、ヘッド１のコイル部あるいは磁気抵抗（ＭＲ）効果素子、巨大磁気抵抗（ＧＭＲ）効果素子、スピンバルブ素子などセンサ素子部を焼き切り断線させることによってヘッド１を破壊する。これによって媒体２に記録されたデータの読み出しが不可能となる。
なお、電源９からヘッド１に高電圧を印加し、絶縁破壊を生じさせることによってもヘッド１を破壊することができ、同様の効果を奏する。
このように、本実施例において、電源９は請求項７記載の過電流あるいは高電圧発生回路に該当し、また、請求項１記載の読み出し妨害手段にも該当する。
【００４１】
また、例えば図２に示すような傷与器１２あるいは接続部１４などの機構を用いてヘッド１あるいはヘッド機構部３を破損させる方法（ヘッドジンバルを曲げるなど）、および例えば図１に示すような噴射器１０からの内容物１８をヘッド１に噴射する方法によっても実効上、ヘッド１を使用できなくし、これによって媒体２に記録されたデータの読み出しを不可能とすることができる。
【００４２】
〈スイッチ〉
本発明における読み出し妨害手段の動作を開始させる役割をもつスイッチ８としては、例えば筐体上部６、筐体下部７に機械的スイッチを配置し、筐体上部６、筐体下部７など筐体が開封される（フタを開けられる／穴を開けられる／切断されるなど）とＯＮとなるもの、筐体内に光センサを配置し筐体が開封され（フタを開けられる／穴を開けられる／切断されるなど）光が筐体内に入るとこれによりＯＮとなるもの、筐体の壁の外側、内側、筐体の壁の中側などに網目状の配線を施し筐体が開封される（フタを開けられる／穴を開けられる／切断されるなど）と網目状配線が断線しこれによりＯＮとなるもの、などが挙げられいずれも同様の効果を奏する。
【００４３】
またヘッド１、媒体２、ヘッド機構部３、媒体機構部４、回路５、筐体などデータ蓄積システムの構成要素を留めるネジ類（ダミーとしてデータ蓄積システムに設置されるネジ類も含む）をスイッチ８とし、これらが外される／破損するとこれにより不正コピー防止機能がＯＮとなるもの、あるいは上記ネジ類を外す力を利用して機構部分を動作させこれにより不正コピー防止機能の動作を開始させるものが考えられ、同様の効果を奏する。
【００４４】
また、センサとして光センサに限らず、温度／湿度／位置／電圧／電流センサを用い、筐体の開封（フタを開封／穴開け／切断など）あるいは盗聴（タッピング）により生ずる温度／湿度／位置／電圧／電流の変化をこれらのセンサで感知する方法が挙げられ同様の効果を奏する。
【００４５】
なお、電源９を利用しない場合には、例えば図２に示すように筐体の開封（フタを開けられる／穴を開けられる／切断されるなど）に連動して、開封の力を利用して機構部分が動き、これにより読み出し妨害手段の動作を開始させるものが挙げられる。
【００４６】
〈電源〉
本発明における電源９としては、データ蓄積システムの電源をそのまま利用するもの、電池／充電電池／チャージアップさせたコンデンサなどのバッテリを利用するものが挙げられいずれも同様の効果を奏する。
【００４７】
読み出し妨害手段が働くタイミングとしては筐体を開けた瞬間、あるいはデータ蓄積システムの電源をＯＮした瞬間、あるいは再生／コピーなど何らかの動作をさせた瞬間などが挙げられ、いずれも同様の効果を奏する。
【００４８】
なお、上記実施例の図（図１、５および６）では、スイッチ８と電源９、電源９と噴射器１０、磁界発生器２０およびヘッド１とが結線されているが、本発明では、電源９、スイッチ８、噴射器１０、磁界発生器２０、ヘッド１などの電気的接続状態（結線状態、順序）に関しては特にこれを限定するものではなく、結果としてスイッチ８がＯＮすることにより電源９から噴射器１０、磁界発生器２０、ヘッド１などへ電力が供給されて不正コピー防止機能が動作すればよく、いずれも同様の効果を奏する。
【００４９】
なお、上記で電源９を使用しないとして示した実施例のシステム、方法においても、機構部分を電動とすることによって、例えばスイッチ８、電源９を使用して読み出し妨害手段を動作させることが可能である。他方、上記で電源９を使用するとして挙げた実施例のシステム、方法においても、筐体の開封（フタを開けられる／穴を開けられる／切断されるなど）に連動させ開封の力を利用することによって、電源９を使用しないで読み出し妨害手段を動作させることが可能である。また、開封の力を利用し発電した電力を用いることも可能である。
【００５０】
〈内容物〉
本発明における内容物１８としては、例えば接着性液体、接着後硬化する液体、磁性流体、塗料、酸、アルカリなどの液体、磁性粉、金属粉、接着性粉体、ガラス／ダイヤモンド粉などの粉体、および酸、アルカリなどのガス、固体、塊体、ペースト、シートなどが挙げられ、いずれも同様の効果を奏する。
【００５１】
〈ヘッドと媒体との間に入り、あるいは直接、ヘッド、媒体を傷つける効果を有する内容物〉
ヘッドと媒体との間に入り、あるいは直接、ヘッド、媒体、機構部、回路などを傷つける効果を有するものとしては次のようなものがある。すなわち、
磁性粉、金属粉、ガラス／ダイヤモンド粉などの粉体、固体、塊体、接着性粉体、接着性液体、接着後硬化する液体、磁性流体、塗料、ペースト、シートなど。特に、磁性粉、磁性流体など磁気的性質を持つものの場合、ヘッド／媒体に磁気的にくっ付くため除去し難く、また媒体上のデータを磁気的に消去する効果もあり有効である。
【００５２】
〈ヘッド、媒体、機構部、回路などを溶かす効果を有する内容物〉
ヘッド、媒体、機構部、回路などを溶かす効果を有する内容物としては次のようなものがある。すなわち、
酸、アルカリなどの液体、酸、アルカリなどのガス。
【００５３】
〈ヘッド、媒体、機構部、回路などを覆いヘッドで読み書きできなくする効果を有する内容物〉
ヘッド、媒体、機構部、回路などを覆いヘッドで読み書きできなくする効果を有する内容物としては次のようなものがある。すなわち、
接着性粉体、接着性液体、接着後硬化する液体、磁性流体、塗料、ペースト、シートなど。
【００５４】
なお、上記実施例では筐体が１重のもの（筐体上部６、筐体下部７）を示したが、図７に示したように、回路５１（回路の一部）などが筐体上部６、筐体下部７の外にある場合、例えば回路５１、スイッチ８、電源９などを筐体７０と筐体上部６、筐体下部７の間に設置し（筐体を２重構造にし）、筐体７０を開封された（フタを開けられる／穴を開けられる／切断されるなど）場合、読み出し妨害手段が働くようにしても良い。
【００５５】
筐体は１重、２重に限らず、３重以上でも同様であり、また筐体上部６、筐体下部７の外にあるのは回路に限らず、機構部、スイッチ、電源、ヘッド、媒体、読み出し妨害手段部およびこれらの一部などでも同様であり、これらは本発明の全体に渡って同様である。
【００５６】
なおここで、電源９は筐体上部６、筐体下部７の内側に配置されても良い。
【００５７】
また、本発明に係る不正コピー防止データ蓄積システムおよび不正コピー防止方法としては、上記に挙げたものを、単一のみならず、複数組合せたシステムおよび方法とすることが可能であり、いずれも同様の効果を奏する。
【００５８】
上記の例では省略してあるが、本データ蓄積システムは、当然、本データ蓄積システムを動作させるための電源と接続している必要がある。また、他機器とデータ等のやりとりをするインタフェースを有する必要がある。例えば、入力信号は暗号化されたデジタルデータとしてデータ蓄積システムに入り蓄積され、再生時には不正コピー防止機能を持った筐体内で復号化およびアナログ変換されて筐体外へ出力される。全てのデジタルデータを、不正コピー防止機能を持った筐体内に閉じ込めることが、不正コピーを防止する上で理想的であるが、暗号化されたデジタルデータならば不正コピーは実効上困難であることから、必ずしもすべての回路およびケーブル、配線などを不正コピー防止機能を持った筐体内に閉じ込める必要はない。即ち、暗号化されたデジタルデータのみが流れる回路およびケーブル、配線などに関しては、必ずしも不正コピー防止機能を持った筐体内に閉じ込める必要はなく、このことは本発明においても同様である。
【００５９】
なお、筐体としては、導電性シールド筐体とすることにより、タッピングされ難くすることができる。また、回路として端子、パターンが表面に露出していないものとすること、回路をモールドすることにより、タッピングされ難くすることができる。
【００６０】
【発明の効果】
以上説明したように、本発明の不正コピー防止データ蓄積システムおよび不正コピー防止方法によれば、
データ蓄積システムの筐体が開封される（フタを開けられる／穴を開けられる／切断されるなど）と、不正コピー防止機能が働き、データ蓄積システムからのデータの読み出しを不可能とすることができ、不正コピーが防止される、
という効果を有する。
【図面の簡単な説明】
【図１】本発明の第１の実施例を示す図である。
【図２】本発明の第２の実施例を示す図である。
【図３】本発明の第３の実施例を示す図である。
【図４】本発明の第４の実施例を示す図である。
【図５】本発明の第５の実施例を示す図である。
【図６】本発明の第６の実施例を示す図である。
【図７】筐体を２重構造とした本発明の実施例を示す図である。
【符号の説明】
１：ヘッド、２：媒体、３：ヘッド機構部、４：媒体機構部、５：回路、５１：回路、６：筐体上部、６１：筐体壁外部、６２：筐体壁中部、６３：筐体壁内部、７：筐体下部、７０：筐体、８：スイッチ、９：電源、１０：噴射器、１１：噴射ヘッド、１２：傷与器、１３：鋭利部、１４：接続部、１５：支点、１６：容器、１７：栓、１８：内容物、１９：穴、２０：磁界発生器。
【図１】
2004047039.tif 000003
【図２】
2004047039.tif 000004
【図３】
2004047039.tif 000005
【図４】
2004047039.tif 000006
【図５】
2004047039.tif 000007
【図６】
2004047039.tif 000008
【図７】
2004047039.tif 000009